Podtech/llm-jp-corpus-v4-ja_patent huggingface dataset:
(57)【要約】      （修正有）【課題】就寝時に、身体に負担がかからない寝姿勢を保つ枕を提供する。【解決手段】二枚の生地を袋状に縫い合わせた後、身体の形状に合わせた曲線的な縫い目２〜８を施し形成された６か所の部分に中材として適切な素材を適量入れることにより、体型に合わせる調整ができる。【選択図】図１
0003201822.tif 000002
【実用新案登録請求の範囲】
【請求項１】
二枚の布生地を縫い合わせ曲線状の縫い目を８本施し
それによって仕切られた部分に異なった内容物を充填することにより形成される枕。
【考案の詳細な説明】
【技術分野】
【０００１】本考案は就寝時に体の一部に荷重がかからない
身体に負担がかからない寝姿勢を保つことを目的に考案した枕である
【背景技術】
【０００２】就寝時用の枕は様々な形状のものが使用されているが、
頸部（首部）にあたる部分が極端に高く、また
後頭部にあたる部分が極端に低くなっている構造の枕が開示されている
【先行技術文献】
【特許文献】
【０００３】
【特許文献１】登録実用新案公報３１５５８４６号
【特許文献２】登録実用新案公報３０３３３７６号
【考案の概要】
【考案が解決しようとする課題】
【０００４】この考案の目的は、仰向き寝時の頸部（首部）に多くの加重がかかることを軽減することである。
【課題を解決するための手段】
【０００５】請求項１に記載の考案は二枚の生地を縫い合わせた後
縫い目（２）（３）（４）（５）（６）（７）（８）により形成された
部分（１０）（１１）（１２）（１３）に適切な中材、適量な中材を充填することにより頸部（首部）、頭部を支えることを可能にした
【考案の効果】
【０００６】分割することにより形成された部分に適切な中材、適量な中材を入れることにより個人差がある体型に合わせる調整ができ
身体の一部に荷重がかかることを防止できる
【図面の簡単な説明】
【０００７】
【図１】二枚の生地を縫い合わせた後８か所の縫い目を施した図
【図２】６か所の形成された部分に中材を充填した図
【符号の説明】
【０００８】  （１）二枚の生地を縫い合わせた後縫い目を施した全体図
（２）縫い目
（３）縫い目
（４）縫い目
（５）縫い目
（６）縫い目
（７）縫い目
（８）縫い目
（９）中材を充填した全体図
（１０）頭部を支える部分
（１１）頭部を支える部分
（１２）頭部を支える部分
（１３）頸部（首部）を支える部分
【図１】
0003201822.tif 000003
【図２】
0003201822.tif 000004
(57)【要約】      （修正有） 【課題】従来の腰掛け台車の狭い畝間で行う作業を安全に行えて、後方転倒防止と着座した状態での方向転換が行える腰掛け台車を提供する。【解決手段】前部には上方に引き上げるための取手２を設け、後部には腰当て３を設けた長方形の金属板で構成することにより作業者の腰を掛けるようにすると共に着座板１の下面には左右１対の前輪７・後輪８を支える金属角支柱４を立設し歩きながら走行でき取手を引き上げて方向転換でき、着座板１後方には斜め下方に向けて金属角材の転倒防止の支え９を設け転倒防止できるようにする。【選択図】図１
0003201834.tif 000002
【実用新案登録請求の範囲】
【請求項１】
前部には上方に引き上げるための取手(2)を設け、後部には腰当て(3)を設けた長方形の金属板で構成する着座板(1)の下面には左右１対の前輪・後輪を支える金属角支柱(4)を立設すると共に着座板  (1)後方には斜め下方に向けて、金属角材の転倒防止の支え(9)を設けたことを特徴とする腰掛け台車。
【考案の詳細な説明】
【技術分野】
【０００１】
本考案は、農作業、園芸などを低姿勢で行う作業に用いる腰掛け台車に関するものである。  
【背景技術】
【０００２】
従来、腰掛け台車は、農作業に於いて、育苗、除草、又は落下梅の収穫など、地面に近い低姿勢で行う作業において腰を掛けて行うことが出来る利点があり、先行技術に見られるように一般に活用されている。                                                  
【０００３】
年配の人にも、腰の負担が軽く、長時間作業の継続が可能な腰掛け台車が使用されて  いるが、狭い畝間で行う作業を安全に行えて台車に着座した時、後方に転倒を防止するものあるいは着座した状態での方向転換が行えるものはなかった。                      
【先行技術文献】
【特許文献】
【０００４】
【特許文献１】実開昭６４−２１６５５号公報
【特許文献２】特開平１０−１５５５９５号公報
【考案の概要】
【考案が解決しようとする課題】
【０００５】
従来、先行技術に示す通り、農作業、園芸などを低姿勢で行う作業には腰掛け台車が使用されているが、この腰掛け台車の転倒防止あるいは方向転換については配慮されたものはなかった。本考案は従来の腰掛け台車の狭い畝間で行う作業を安全に行えて、後方転倒防止と着座した状態での方向転換が行えるようにしたものである。                    
【課題を解決するための手段】
【０００６】
本考案の腰掛け台車は、上記の目的を達成するため、台車の下面の後方から斜め下に向けて、支えを装着したことで、転倒を防止することができる。また、着座した状態で、前輪を地面より少し浮かし、後輪を軸として、方向を変えることで、後方に転倒することなく容易に方向転換を行うことが出来る、腰掛け台車を提供する。                      
【考案の効果】
【０００７】
本考案の腰掛け台車の使用により、年配の人も、体の負担が軽く、安全に長時間の作業を継続でき、能率的である。                                                      
【図面の簡単な説明】
【０００８】
【図１】図１は腰掛け台車の斜視図である。
【図２】図２は腰掛け台車の側面図である。
【図３】図３は腰掛け台車の平面図である。
【図４】図４は人が乗った状態を示す側面図で方向転換前〔実線〕と前輪を浮かした時〔点線〕の体の動きを示すものである。
【実施例１】
【０００９】
図面にしたがって、本考案の腰掛け台車の各実施例の形態について図１〜図４を参照  しながら説明する。                                                                図１は、腰掛け台車の全体の側面図である。着座板(1)は、長方形の金属板に、前部に取手(2)、後部に腰当て(3)を溶接で固着させている。また、着座板(1)の下面中央の２カ所に台車を支える金属角支柱(4)を溶着させ、その下端に左右１対の４個の輪(7)(8)を支えるシャフト(5)と補強のための張り(6)を溶接で固着させている。なお、着座板(1)の下面の後方から斜め下に向けて、金属角材の転倒防止の支え(9)を設けている。
【００１０】
先ず、作業を行うにあたり、図２で示した腰掛け台車の着座板(1)をまたぎ、取手(2)を握り、図４で示したように安定した状態で着座して、除草、育苗、落花梅の収穫などの作業を行う。また、作業中、方向転換を行う時、図４で示したように取手(2)を握り、前輪(7)を地面から少し引き上げ、同時に腰当て(3)を少し後方に体重移動することで、前輪(7)が地面と離れ後輪(8)を軸として方向転換でき、又、転倒防止の支え（９）により該支え（９）が地面に接地され後方に転倒することを未然に防止するので安全に方向転換が行え、目的の方向で作業が行える。    
【産業上の利用可能性】
【００１１】
高齢化が進み、農業の担い手が少ない昨今、高齢者にも安全で体に負担が少なく、能率的で楽しく農作業や園芸を行うことが出来る腰掛け台車が活用される。
【符号の説明】
【００１２】
１  着座板        
２  取手
３  腰当て      
４  角支柱  
５  シャフト
６  補強の張り
７  前輪    
８  後輪
９  転倒防止の支え
【図１】
0003201834.tif 000003
【図２】
0003201834.tif 000004
【図３】
0003201834.tif 000005
【図４】
0003201834.tif 000006
(57)【要約】      （修正有）【課題】傘を使用した後に傘内側に付着した水滴を乾燥したい時に石突の方に固定対応できる物がなく、傘の内側と外側の水滴を物干し竿等に掛け日陰干しできることを容易にする傘干し具を提供する。【解決手段】石突が外れる傘５を対象に石突を外して傘干し具本体４に装着したナットに中棒の雄ネジ６をねじ込み一体化してフック１を物干し竿７に掛けて干すことができるようにして、外した石突が紛失しない様にポケットへ保管することができる様にした。【選択図】図５
0003201803.tif 000002
【実用新案登録請求の範囲】
【請求項１】
傘の石突を外して外した石突を紛失しない様にポケットに保管でき、中棒の雄ネジを傘干し具本体のナットにねじ込み一体化した傘干し具。
【考案の詳細な説明】
【技術分野】
【０００１】この考案は傘を使用した後に容易に干す事を解決するために、石突が外れる傘を対象に、石突を外して中棒の雄ねじにナットを装着した傘干し具にねじ込んで一体化して安心して干す事ができる様にしたものを提供する。
【背景技術】
【０００２】従来は、傘を日陰干ししたくても専用の傘干し具がなかった。
【考案の概要】
【考案が解決しようとしている課題】
【０００３】傘を使用した後に傘内側に水滴が付着したまま放置して骨に錆が発生して腐食とか、カビ臭い匂いが発生する問題点があった。また、不意の雨のために携帯する折り畳み傘は袋に入れて保管するため良く乾燥させないとカビが発生する問題点があり傘の内側と外側の水滴を物干し竿等に掛け日陰干しできることを容易にする。
【課題を解決するための手段】
【０００４】石突が外れる傘を対象に傘５の内側の水滴を乾燥させるために、石突を外して傘干し具本体４に装着したナット３に中棒の雄ネジ６をねじ込み一体化してフック１を物干し竿７に掛けて干すことができるようにして、外した石突が紛失しない様にポケット２へ保管することができる様にした。
【考案の効果】
【０００５】石突の脱着が多少面倒だが確実に取り付けができて傘の内側と外側の水滴を日陰干しして乾燥を容易に行う事ができる。
【図面の簡単な説明】
【０００６】
【図１】本考案の平面図である。
【図２】本考案の立面図である。
【図３】本考案の断面図である。
【図４】本考案の底面図である。
【図５】本考案の使用状態を示す斜視図である。
【符号の説明】
【０００７】１  フック
２  ポケット
３  ナット
４  傘干し具本体
５  傘
６  中棒の雄ネジ
７  物干し竿
【図１】
0003201803.tif 000003
【図２】
0003201803.tif 000004
【図３】
0003201803.tif 000005
【図４】
0003201803.tif 000006
【図５】
0003201803.tif 000007
【手続補正書】
【提出日】平成27年10月15日(2015.10.15)
【手続補正１】
【補正対象書類名】実用新案登録請求の範囲
【補正対象項目名】全文
【補正方法】変更
【補正の内容】
【実用新案登録請求の範囲】
【請求項１】
石突が外れる傘を対象とする傘干し具であって、傘干し具本体と、傘干し具本体に装着され、傘の中棒の雄ネジにねじ込まれるナットと、傘干し具本体に設けられ、傘から外された石突を保管するポケットと、傘干し具本体を物干し具に掛けるためのフックとからなることを特徴とする傘干し具。
(57)【要約】【課題】  加熱板積層型挿入式ピザ窯は、稼働時に加熱板積層体が揺れて不都合を来すことがある。【解決手段】  加熱板積層体を構成する４本の支柱それぞれを独立して吊下げることにより揺動を防ぐ方法を考案した。【選択図】図１、図２
0003201807.tif 000002
【実用新案登録請求の範囲】
【請求項１】
加熱板積層体を構成する４本の支柱それぞれを独立して吊下げて窯の中に出し入れすることを特徴とするピザ窯。
【考案の詳細な説明】
【技術分野】
【０００１】  本考案は実用新案登録第３１７５４９０号加熱板積層型挿入式ピザ窯に関するものである。
【背景技術】
【０００２】  加熱板積層型挿入式ピザ窯において、加熱板積層体は、その上部中心を１本のワイヤーで吊下げられ、窯内を昇降する機構になっているが、ワイヤーを軸としての捻じれや揺れが生じやすく稼働時に位置が安定しにくい。
【考案の開示】
【考案が解決しようとする課題】
【０００３】  稼働時における加熱板積層体の望ましくない捻じれや揺れを抑える。
【課題を解決するための手段】
【０００４】加熱板積層体は４本の支柱に所定の間隔で加熱板を組付けることにより構成されている。現在は、この支柱が４隅として形成する４角形の中心に吊金具を付け、１本のワイヤーで吊下げている。この中心に吊下げ位置をまとめることを止め、４支柱それぞれを独立して吊下げ、４本のワイヤーを同期して巻上げ下ろしすることが可能な機構を考案した。
【考案の効果】
【０００５】  加熱板積層体を４支点で吊下げることにより垂直軸まわりの捻じれは無くなり、揺れも大幅に抑えることが可能になった。これにより作業性が向上し、窯の安定性、信頼性が向上した。また、ワイヤーの長さを４本それぞれ単独で調整できるので加熱板積層体の水平軸まわりの角度調節が容易になった。
【考案を実施するための最良の形態】
【０００６】  ４本の支柱それぞれの最上部にアイナットを取付け、吊金具が掛けられる形にする。アイナットは、そのねじ込み量により吊下げ位置を調節することが可能である。【０００７】  ４支柱それぞれを垂直に吊るした４本のワイヤーは上部に取付けられた滑車により、それぞれ水平方向に曲げられ、さらにそれぞれをもう一度滑車に通すことにより垂直方向に転換する。【０００８】  垂直方向に転換された位置で、４本のワイヤーが１つの結束金具に収束するように、それぞれの滑車は位置、方向を調整して取付ける。結束金具の一端には４本のワイヤーをそれぞれ結束し、他端にはウインチからのワイヤーを結束する。即ち、結束金具を介して４本のワイヤーが１本のワイヤーに変換される。
【実施例】
【０００９】  以下、添付図面に従って実施例を説明する。４本の支柱１に所定の間隔で加熱板８を組付けることにより、加熱板積層体が構成されている。それぞれの支柱１の上端にはアイナット２を取付け、下端にはガイドロール７を取付ける。ガイドロール７は窯の内壁に沿って転動し加熱板積層体が下振れすることを防ぐ。【００１０】  ４本の支柱１の上端のアイナット２は、それぞれワイヤー４ａにより吊るされ、滑車３により案内されながら結束金具５に収束し結束される。結束金具５の下端には手巻きウインチ６のワイヤー４ｂが結束される。このように巻上げ機構が構成されることにより、４本の支柱１は間隔の開いた同期した個別の力で支持されるため、支柱１に一体化して構成されている加熱板積層体は、回転や揺動が少なくなり安定する。
【図面の簡単な説明】
【００１１】
【図１】手巻きウインチにより加熱板積層体を最上部まで巻き上げた状態のピザ窯全体の構成を示す正面図。
【図２】同じく側面図。
【符号の説明】
【００１２】１    支柱
２    アイナット
３    滑車
４ａ、４ｂ    ワイヤー
５    結束金具
６    手巻きウインチ
７    ガイドローラー
８    熱板
0003201807.tif 000003
【手続補正書】
【提出日】平成27年11月5日(2015.11.5)
【手続補正１】
【補正対象書類名】図面
【補正対象項目名】全図
【補正方法】変更
【補正の内容】
【図１】
0003201807.tif 000004
【図２】
0003201807.tif 000005
(57)【要約】      （修正有）【課題】足部分の折り込み位置の調整ができる袋状足入れ付き敷きパッドを提供する。【解決手段】本体１の足側を折り込んだ足入れ部３を備え、足入れ部の両端の対向する重なる部分２ａ、２ｂに面ファスナーを取り付け、面ファスナーの長さを長くすることで、折り込み位置の調節を可能にした。【選択図】図１
0003201799.tif 000002
【実用新案登録請求の範囲】
【請求項１】
本体（１）の足側を折り込んだ足入れ部（３）を備え、足入れ部（３）の両端の対向する重なる部分（２ａ）（２ｂ）にマジックテープを取り付け、マジックテープの長さを長くすることで、折り込み位置の調節を可能にしたことを特徴とする袋状足入れ付き敷きパッド。
【考案の詳細な説明】
【技術分野】
【０００１】本案件は、袋状足入れ付き敷きパッドに関する。
【背景技術】
【０００２】従来の敷きパッドは、平面に作られている。また、足部分の折込があったとしても、端部分を縫い付けてあるものである。【０００３】      しかしながら、従来の敷きパッドには、足部分の折込位置の両端にマジックテープがついておらず、足部分の折込位置の調整が不可能であった。
【先行技術文献】
【特許文献】
【０００４】
【特許文献１】実用新案登録第３１０９７６９号
【考案の概要】
【考案が解決しようとする課題】
【０００５】      本案件は、以上のような従来の欠点に鑑み、折込位置の両端にマジックテープをつけることで、足部分の折込位置の調整を可能にし、マジックテープ付き足入れ付き敷きパッドを提供することを目的としている。
【課題を解決するための手段】
【０００６】本体（１）の足側を折り込んだ足入れ部（３）を備え、足入れ部（３）の両端の対向する重なる部分（２ａ）（２ｂ）にマジックテープを取り付け、マジックテープの長さを長くすることで、折り込み位置の調節を可能にしたことを特徴とする袋状足入れ付き敷きパッド。
【考案の効果】
【０００７】      上述の様に、本考案にあっては次のような効果が得られる。
（１）折込位置の両端にマジックテープが取り付けられているので、折込位置が調節することが可能となる。したがって、個人の足に合わせた位置調節が可能となる。
【図面の簡単な説明】
【０００８】
【図１】本考案の袋状足入れ付き敷きパッドの構成
【図２】本考案の袋状足入れ付き敷きパッドのマジックテープの付け位置をより詳しくした図
【０００９】      敷きパッドの足側となる部分を折り曲げる。折り曲げた際に重なる部分の両端にマジックテープを取り付ける。また、マジックテープを取り付ける際に、接着面を長く付ける。それにより、足を入れる部分の丈の調節を行うことが出来る。
【考案を実施するための形態】
【００１０】      以下、本考案の実施の形態を図に基づいて説明する。図１は本考案の平面図で本体（１）の足側になる部分を折り返し、重なる部分（２ａ）と（２ｂ）にマジックテープをつける。つける際に、マジックテープの付着面を長く付けることにより、足入れ部（３）の丈の調節が可能となる。また、図２は、より詳しく示した図である。
【産業上の利用可能性】
【００１１】      本考案は、袋状足入れ付き敷きパッドを製造する産業で利用される。
【符号の説明】
【００１２】      （１）本体
（２ａ）  マジックテープ付け位置
（２ｂ）  マジックテープ付け位置
（３）足入れ部
【図１】
0003201799.tif 000003
【図２】
0003201799.tif 000004
【手続補正書】
【提出日】平成27年10月16日(2015.10.16)
【手続補正１】
【補正対象書類名】実用新案登録請求の範囲
【補正対象項目名】請求項１
【補正方法】変更
【補正の内容】
【請求項１】
「本体（１）の足側を折り込んだ足入れ部（３）を備え、足入れ部（３）の両端の対向する重なる部分（２ａ）（２ｂ）に面ファスナーを取り付け、面ファスナーの長さを長くすることで、折り込み位置の調節を可能にしたことを特徴とする袋状足入れ付き敷きパッド。」
【手続補正２】
【補正対象書類名】明細書
【補正対象項目名】０００３
【補正方法】変更
【補正の内容】
【０００３】しかしながら、従来の敷きパッドには、足部分の折込位置の両端に面ファスナーがついておらず、足部分の折込位置の調整が不可能であった。
【手続補正３】
【補正対象書類名】明細書
【補正対象項目名】０００５
【補正方法】変更
【補正の内容】
【０００５】本案件は、以上のような従来の欠点に鑑み、折込位置の両端に面ファスナーをつけることで、足部分の折込位置の調整を可能にし、面ファスナー付き足入れ付き敷きパッドを提供することを目的としている。
【手続補正４】
【補正対象書類名】明細書
【補正対象項目名】０００６
【補正方法】変更
【補正の内容】
【０００６】本体（１）の足側を折り込んだ足入れ部（３）を備え、足入れ部（３）の両端の対向する重なる部分（２ａ）（２ｂ）に面ファスナーを取り付け、面ファスナーの長さを長くすることで、折込位置の調節を可能にしたことを特徴とする袋状足入れ付き敷きパッド。
【手続補正５】
【補正対象書類名】明細書
【補正対象項目名】０００７
【補正方法】変更
【補正の内容】
【０００７】上述の様に、本考案にあっては次のような効果が得られる。
（１）折込位置の両端に面ファスナーが取り付けられているので、折込位置を調節することが可能となる。したがって、個人の足に合わせた位置調節が可能となる。
【手続補正６】
【補正対象書類名】明細書
【補正対象項目名】０００８
【補正方法】変更
【補正の内容】
【０００８】
【図１】本考案の袋状足入れ付き敷きパッドの構成
【図２】本考案の袋状足入れ付き敷きパッドの面ファスナーの付け位置をより詳しくした図
【手続補正７】
【補正対象書類名】明細書
【補正対象項目名】０００９
【補正方法】変更
【補正の内容】
【０００９】敷きパッドの足側となる部分を折り曲げる。折り曲げた際に重なる部分の両端に面ファスナーを取り付ける。また、面ファスナーを取り付ける際に、接着面を長く付ける。それにより、足を入れる部分の丈の調節を行うことが出来る。
【手続補正８】
【補正対象書類名】明細書
【補正対象項目名】００１０
【補正方法】変更
【補正の内容】
【００１０】以下、本考案の実施の形態を図に基づいて説明する。図１は本考案の平面図で本体（１）の足側になる部分を折り返し、重なる部分（２ａ）と（２ｂ）に面ファスナーをつける。つける際に、面ファスナーの付着面を長く付けることにより、足入れ部（３）の丈の調節が可能となる。また、図２は、より詳しく示した図である。
【手続補正９】
【補正対象書類名】明細書
【補正対象項目名】００１２
【補正方法】変更
【補正の内容】
【００１２】（１）    本体
（２ａ）  面ファスナー付け位置
（２ｂ）  面ファスナー付け位置
（３）    足入れ部
【手続補正１１】
【補正対象書類名】図面
【補正対象項目名】全図
【補正方法】変更
【補正の内容】
【図１】
0003201799.tif 000005
【図２】
0003201799.tif 000006
(57)【要約】      （修正有）【課題】どんぐり、または、どんぐり工作物の絵や写真を表示したカルタを提供する。【解決手段】取り札と、読み札からなるカルタであって、取り札には、どんぐり、または、どんぐり工作作品の絵または写真を表記し、読み札には、俳句、または、川柳、または、短歌を表記したことを特徴とする。【選択図】図１
0003201788.tif 000002
【実用新案登録請求の範囲】
【請求項１】
どんぐりと、どんぐり工作品の絵や写真を表記したカルタで読み札を俳句、川柳、短歌、とした、どんぐり工作作品を表示した俳句・川柳・短歌カルタ。
【請求項２】
請求項１のどんぐりカルタのサイズ、表記文字、表記色については、日本文字、外国文字を含む。表記色は全色とする。
【考案の詳細な説明】
【用新案登録請求の範囲】
【技術分野】
【０００１】  本案は、カルタに関する考案です。
カルタに、どんぐりと、どんぐり工作物の写真や絵をカルタの取り札に表示し、カルタの読み札を、俳句や、川柳、短歌とした「どんぐりカルタ」です。
小学生以下の子供が創作した俳句を読み札とした、お子様俳句カルタ制作。
カルタの入賞者に「どんぐりコマ」・「どんぐり首飾り」お子様俳句入門書などを賞品とし教育に好評。大人用どんぐりカルタも制作します。
【背景技術】
【０００２】従来も、今日も、どんぐり俳句カルタも川柳、短歌カルタも、ありません。
本案の「どんぐりカルタ」は、カルタの一枚一枚に異なった、どんぐり工作物の絵や写真を、表示したカルタです。
俳句、川柳、短歌、俳句季語集、などを読み札の文章としたカルタです。
【考案が解決しようとする課題】
【０００３】第一の課題は、どんぐりの認識を高めること、どんぐりとは木の実・草の実  果樹の実の種であること、植物の種であることの認識。
第二の課題は  挿絵の基になる「どんぐり工作物」の制作です。
どんぐりコマは知られていますが、羽子板突きの「羽根」はどんぐり「むくろ樹の実」に、羽根を突けた物です。
その他、どんぐりでペンギンや首飾りなど、可愛いくて、美しい物が作れます。
子供達が、ピコピコと電子遊びに夢中になりすぎていませんか、公園に行き、木の実・草の実、どんぐりなどに、関心を持たせてあげたい。
【考案が解決するための手段】
第一は、幼稚園や小学校で家族で「どんぐり俳句カルタ」会を、実施する。
第二は、「どんぐり工作会」を各所に結成し研究会を定期的に実施しします。
第三は、「どんぐり拾いを」学校や親子で公園にどんぐり拾いに行き公園の美化や、草木の大切さを教えてあげたい。
日本郷土史家・会員が、喜んで担当しますので解決しました。
【考案を実施するための形態】
【０００５】  考案の実施の形態を図面により説明します。
図１  「どんぐりカルタ」の「見取り図」
▲１▼「取り札」のどんぐり写真。
▲２▼「読み札」お子様が創作した、俳句。
【考案の効果】
【０００６】  本考案は上述の通りであります。
【０００７】  本案は、現代社会は子供の遊びも、電気玩具・器機が盛んになり、ほとんど室内でのピコピコ遊びが多い。
「どんぐり俳句カルタ」は、どんぐりを通して自然の植物から、教えられることが多く、社会的にも末永い人生に、必ず約に立つことと存じます。
【図面の簡単な説明】
【０００８】
【図１】「どんぐり俳句カルタ」
【図１】
0003201788.tif 000003
【手続補正書】
【提出日】平成27年6月5日(2015.6.5)
【手続補正１】
【補正対象書類名】実用新案登録請求の範囲
【補正対象項目名】全文
【補正方法】変更
【補正の内容】
【実用新案登録請求の範囲】
【請求項１】
取り札と、読み札からなるカルタであって、
取り札には、どんぐり、または、どんぐり工作作品の絵または写真を表記し、読み札には、俳句、または、川柳、または、短歌を表記したことを特徴とするカルタ。
(57)【要約】【課題】  平坦な屋根等の上でペンキ収容缶を容易に持ち回ることができるペンキ収容缶の載置装置を提供する。【解決手段】  本考案のペンキ収容缶の載置装置は、ペンキ収容缶Ｋを載置し着脱手段３を介して着脱可能に構成した矩形の缶載置台２と、前記缶載置台２の四隅下側に固設され当該缶載置台２を支持する四個の支持部材４とから構成され、前記四個の各支持部材４が、それぞれ水平首振り自在の車輪により構成される。【選択図】図１
0003202212.tif 000002
【実用新案登録請求の範囲】
【請求項１】
ペンキ収容缶（Ｋ）を載置し着脱手段（３）を介して着脱可能に構成した矩形の缶載置台（２）と、前記缶載置台（２）の四隅下側に固設され当該缶載置台（２）を支持する四個の支持部材（４）とから構成されるペンキ収容缶の載置装置において、前記四個の各支持部材（４）を、それぞれ水平首振り自在の車輪により構成した、ことを特徴とするペンキ収容缶の載置装置。
【考案の詳細な説明】
【技術分野】
【０００１】  本考案は、ペンキを収容する一斗缶（以下、単に「ペンキ収容缶」という）を平坦な屋根等の上でペンキの塗布作業をするのに用いられるペンキ収容缶の載置装置に関する。
【背景技術】
【０００２】  平坦な屋根等の上でペンキの塗布作業するとき、ペンキ収容缶を持ちまわるのは重いので、そのペンキ収容缶から小分けしたペンキを小さな缶に入れ、その小さな缶を持って移動しながらペンキの塗布作業をするのが一般的である。他方、この種のペンキ収容缶を載置する載置装置としては、例えば本出願人の提案したもので、特許文献１に示すもの（以下、「従来例」という）が知られている。この従来例は、ペンキ収容缶を載置し着脱手段を介して着脱可能に構成した矩形の缶載置台と、前記缶載置台の四隅下側に固設され当該缶載置台を支持する四個の支持部材とから構成されている。
【特許文献１】実用新案登録第３１５５４８５号
【考案の開示】
【考案が解決しようとする課題】
【０００３】  上記従来例では、以下のような不都合がある。
缶載置台と一体に前記ペンキ収容缶を持ちまわるのは重いので、ペンキ収容缶から小さな缶にペンキを小分けするために、そのペンキ収容缶のある所まで度々往復する必要があり、それが大変煩わしい。【０００４】  本考案は上記のような不都合を解消するためになされたもので、平坦な屋根等の上でペンキ収容缶を容易に持ち回ることができるペンキ収容缶の載置装置を提供することをその目的とする。
【課題を解決するための手段】
【０００５】  本考案は前記課題を解決するものとして以下のように構成される。
即ち、本考案は、ペンキ収容缶Ｋを載置し着脱手段３を介して着脱可能に構成した矩形の缶載置台２と、前記缶載置台２の四隅下側に固設され当該缶載置台２を支持する四個の支持部材４とから構成されるペンキ収容缶の載置装置１において、前記四個の各支持部材４を、それぞれ水平首振り自在の車輪により構成したことを特徴とするものである。
【考案の効果】
【０００６】  本考案によるペンキ収容缶の載置装置によれば、前記四個の各支持部材４がそれぞれ水平首振り自在の車輪により構成されていることから、ペンキ収容缶と一体に缶載置台を軽く移動できる。つまり、小さな缶にペンキを小分けするために、そのペンキ収容缶の置いてある所まで度々往復する必要がなく至便である。
【考案を実施するための最良の形態】
【０００７】  以下、本考案の好ましい実施形態について添付図面を参照しながら詳細に説明する。なお、以下の実施形態では、技術的に好ましい種々の部材が付加されているが、本考案の技術的範囲は、以下の説明において特に限定する旨の記載がない限り、これらの態様に限られるものではない。【０００８】      図１は本考案の実施形態に係るペンキ収容缶の載置装置の斜視図、図２は図１中の符号Ｊで示す腰部の拡大縦断面図である。このペンキ収容缶の載置保持具１は、図示するように、ペンキ収容缶Ｋを載置し着脱手段３を介して着脱可能に構成した矩形の缶載置台２と、前記缶載置台２の四隅下側に付設され、当該缶載置台２を支持する四個の支持部材４とから構成される。【０００９】  上記四個の各支持部材４は、それぞれ水平首振り自在の車輪により構成されている。これにより、缶載置台２と一体にペンキ収容缶Ｋを軽く移動できる。つまり、小さな缶にペンキを小分けする必要がなく、そのペンキ収容缶の置いてある所まで度々往復する必要もない。【００１０】  上記缶載置台２は、図１で示すように、鋼材を溶接して平面視で矩形状に形成され、その四辺部は平坦な缶載置部２ａとその外縁に沿う起立部２ｂとが縦断面視でＬ字状に形成される。即ち、仮想線で示すペンキ収容缶Ｋは、上記缶載置部２ａ上に載置され、前記起立部２ａ・２ａに付設された着脱手段３を介して着脱可能に固定されている。【００１１】  上記着脱手段３は、図１で示すように、対向する起立部２ｂ・２ｂに付設され、ペンキ収容缶Ｋの底辺近傍部を三点で固定するように構成されている。即ちペンキ収容缶Ｋの一片の底辺近傍部を２個のボルト３ａ・３ａで固定するとともに、これと対向する底辺近傍部の中央位置を１個の手動操作ボルト３ｂで固定するように構成されている。【００１２】  図２に示すように、前起立部２ｂにはナット３ｃが溶接等により固設され、前記手動操作ボルト３ｂは、このナット３ｃにねじ込み、その先端部でペンキ収容缶Ｋの底辺に形成された凸状耳部Ｋ１の少し上を押さえることにより、締緩自在に固定するように構成されている。これにより、図１に示すペンキ収容缶Ｋの取手Ｋ２を持って、上記缶載置台２とペンキ収容缶Ｋとを一体に軽く移動することができる。【００１３】  前記缶載置台２の対向する各起立部２ｂ・２ｂの頂部には、図示するように、脱落規制部材２ｃが固着されている。この脱落規制部材２ｃは缶載置台２の上に載置したペンキ収容缶Ｋが脱落するのを規制するものである。【００１４】  本考案は平坦な屋根等の上でペンキ収容缶を容易に移動できるペンキ収容缶の載置装置として説明したが、「屋根等」の中には屋根に限らず、道路等の平坦な箇所にペンキ塗布作業をする場合をも含む意図である。
【図面の簡単な説明】
【００１５】
【図１】は本考案の実施形態に係るペンキ収容缶の載置装置の斜視図である。
【図２】は図１中の符号Ｊで示す腰部の拡大断面図である。
【符号の説明】
【００１６】  １…ペンキ収容缶の載置装置、２…缶載置台、３…着脱手段、４…支持部材（車輪）。
【図１】
0003202212.tif 000003
【図２】
0003202212.tif 000004
(57)【要約】      （修正有）【課題】ブドウ、梨、桃、リンゴなどの果実を雨水によるカビの発生やいろいろな害虫、害鳥から防ぎ、消毒液が果実に付着するのを防ぐために紙袋を木枝に取り付けるための取付け器具を提供する。【解決方法】果実にかぶせる紙袋１を木枝に取り付けるためのヒモ２とヒモ２を止める割れ目を入れた止め具４であり、紙袋１の開口部の入口の一方の側にヒモ２とヒモ２を止める割れ目を１〜数個入れた止め具４を接着、テーピングやホッチキスで縦型や横型に付けておき、ヒモ２で巻いて割れ目に入れて止めることにより、細い木枝にも対応して柔らかく取り付けられる。【選択図】図１
0003202211.tif 000002
【実用新案登録請求の範囲】
【請求項１】
本考案は果実にかぶせる紙袋を木枝に取り付けるためのヒモとヒモを止める切り傷の割れ目を入れた止め具であり、紙袋の開口部の入口の一方の側にヒモとヒモを止める切り傷の割れ目を１〜数個入れた止め具を接着、テーピングやホッチキスで縦型や横型に付けておき、ヒモで巻いて切り傷の割れ目に入れて止めることにより、細い木枝にも対応して柔らかく取り付けて、ワンタッチで素人でも簡単に止めることができて、ヒモはナイロン、エスロン、ポリエステルやポリエチレン樹脂製の材質で白くキラキラ光るヒモにしてあるために鳥の防止になり、ヒモや止め具の一部を色分けにしたり、色印を付けたりして果実の識別ができるようにしたことを特徴とする、果実にかぶせる紙袋の取付け器具。
【考案の詳細な説明】
【技術分野】
【０００１】ブドウ、梨、桃、リンゴなどの果実を雨水によるカビの発生やいろいろな害虫、害鳥から防ぎ、消毒液が果実に付着するのを防ぐために紙袋を木枝に取り付ける器具に関するものである。
【背景技術】
【０００２】ブドウ、梨、桃、リンゴなどの果実に紙袋をかぶせる器具は存在する。
【先行技術】
【０００３】次のように存在する。
１、紙袋の入口の一方に縦に針金を接着させておき、紙袋の口より果実を入れてから、紙袋の上部を木枝に挟んで、締め付けておいて、その針金で紙袋の入口を木枝に巻き付けて結び付ける。
２、紙袋の入口を木枝にテープで巻き付ける方法。
３、紙袋の入口を木枝にホッチキスで止める方法。ただし、紙の入口が十分に閉まらずに、紙の入口より水が入る場合がある。
【考案の概要】
【０００４】果実を入れる紙袋の開口部の入口の一方に、縦にヒモとヒモを止める切り傷の割れ目を入れたヒモの止め具を接着、テーピングやホッチキスなどで止めておき、果実を入れた紙袋の開口部の口を木枝に締め付けておいて、素早く紙袋の開口部の入口をヒモで巻いて、止め具の切り傷の割れ目に入れて止める方法であり、ヒモはナイロン、エスロン、ポリエチレン、ポリエステル樹脂製などの材質であり、白く光る色であるためにカラスや鳥などの防止になる。ヒモや止め具の一部を色分けにしたり、色印を付けておいて果実の種類を選別することができる、果実にかぶせる紙袋の取付け器具。
【考案が解決しようとする課題】
【０００５】果実に紙袋をかぶせるのは害虫、カラスなどの鳥や水によりカビの発生、日差しや湿気による腐れの防止や消毒液がかかるのを防ぐためであり、必ず必要である、２〜３反のブドウ畑の場合で２〜３万個の袋を上に向いて、一部はハシゴに乗って行う作業であり、きつい、厳しい手作業である。素人でも紙袋を素早くワンタッチで取り付けることができて、無公害で鳥が嫌がる白くキラキラと光るヒモであれば果物農家の人々にとっては良報となる。その器具の開発が急務であり、要求されている。
【課題を解決するための手段】
【０００６】  本考案は果実を紙袋に入れて上にある木枝にいかに早く、簡単に、素人でも、誰でも出来るようにするためにワンタッチで取り付ける方法であり、細い木枝でも対応できて、柔らかく締め付けることができる。本考案はあらかじめに紙袋の入口の一方の側にヒモとヒモを止めるための切り傷の割れ目を入れた止め具を付けておき、ヒモを紙の入口に巻いて、切り傷の割れ目を入れた止め具でヒモを止める方法であり、切り傷の割れ目を入れた止め具は型紙やプラスチック製やいろいろな材質で作り、丸形、楕円形、四角形、変形したハート形などいろいろな形を縦型や横型にしてつけて、切り傷の割れ目は横、縦、斜めといろいろな方向に入れてあり、切り傷の割れ目の入口はヒモが入りやすくするためにＶ字状やＵ字状に削ってある。カラスや鳥の防止対策のためにヒモは白くキラキラと光るナイロン、エスロン、ポリエチレン、ポリエステル樹脂製などの材質にしてあり、果実の種類の識別のためにヒモや止め具の一部を色分けしたり、色印をつけたりした、果実にかぶせる紙袋の取付け器具。
【考案の効果】
【０００７】  本考案を使用して作業をするとワンタッチ、ツータッチにて紙袋をやさしく木枝に取り付けることができる。ヒモは白くキラキラ光る色であるためにカラスなどの害鳥防止にもなり、木枝や下の紙袋に影響を与えないで取り付けることができる。今、多く使用されている紙袋はハリガネ式であり焼却すると針金が残り、公害となっているが本考案は公害が出ない。
【図面の簡単な説明】
【０００８】
【図１】紙袋とヒモ及び、ヒモの止め具図  （１）正面図  （２）側面図  （３）上からの図  （４）斜め図
【図２】ヒモを止める切り傷の割れ目を入れた止め具  ▲１▼  長方形の縦型場合  ▲２▼  長方形の横型の場合  （１）正面図  （２）側面図  （３）上からの図  （４）斜め図
【図３】本考案のヒモを紙袋と木枝に付けた図
【図４】ヒモを切り傷の割れ目に入れるための入口，▲１▼Ｖ字状の形、▲２▼Ｕ字状の形
【符号の説明】
【０００９】▲１▼    紙袋
▲２▼    ヒモ
▲３▼    ヒモで締め付け部分
▲４▼    ヒモの止め具
▲５▼    木枝
▲６▼    ブドウ、桃、梨などの果実
▲７▼    紙袋の入口を木枝に丸めた部分
▲８▼    ヒモの止め具の切り傷の割れ目の部分
▲９▼    紙袋にヒモを付けた部分
▲１０▼  紙袋に止め具を付けた部分
▲１１▼  止め具をＶ字状やＵ字状の形にカットした部分
【考案を実施するための形態】
【００１０】１、紙袋の入口を開いて、果実を紙袋の中へ入れる。
２、果実が付いている木枝に紙袋の入口をすぼめて、締める。
３、ヒモを手に持って、すぼめた紙袋の入口を木枝に巻き付けて、止め具の切り傷の割れ目に入れて止める。  果実の種類により、ヒモや止め具に付けた色分けや色印により選別する。
４、収穫時に木枝を切断して作業場に持ち帰り、ヒモや止め具の色分けや色印ごとに果実の種類を分類する。
【産業上の利用可能性】
【００１１】  本考案を使用すればワンタッチで紙袋をヒモで取付けたり、取り外したりする作業ができて、木枝からの水や消毒液の進入を防ぎ、カラスなどの鳥害の防止ができて、木枝にきつく締め付けずに、やさしく締め付けて止めることができる。上を向いて一個一個の紙袋をかぶせる作業はきつくて、厳しい、気の遠くなるような仕事である。その仕事の労力や時間を軽減するのに貢献できて、公害を発生させずに素人や女性などの作業をする人々に貢献できる。
【図１】
0003202211.tif 000003
【図２】
0003202211.tif 000004
【図３】
0003202211.tif 000005
【図４】
0003202211.tif 000006
(57)【要約】      （修正有）【課題】ボールペン、鍵、携帯電話などの小物類を、整然と、しかもかさ張ることなく、かつ容易に出し入れすることができるカバン用ポケットを提供する。【解決手段】カバンに入る程度の大きさの薄い板１に、布２などを用い、大小のポケット３を取り付ける。【選択図】図１
0003202209.tif 000002
【実用新案登録請求の範囲】
【請求項１】
かばんに入る程度の大きさの薄い板に、布などを用い、大小のポケットを取り付けたカバン用ポケット。
【考案の詳細な説明】
【技術分野】
【０００１】
本考案は、カバンに入れたボールペン、鍵、携帯電話などの小物類を、簡単かつ整然と出し入れできるように、カバンの中を整理整頓しようとするものである。
【背景技術】
【０００２】
従来、ボールペン、鍵、携帯電話などの小物類をカバンに入れると、大概底の方や隅っこに転がるため、なかなか探せず、カバンの中を引っ掻き回したり、カバンをひっくり返す事態がしばしば発生していた。
【０００３】
この事態を防ぐために、ポケットを設けたカバンも有るが、ポケットの数も限られ、又、固定されているため使いにくい欠点があった。
【考案の概要】
【考案が解決しようとする課題】
【０００４】
本考案は、ボールペン、鍵、携帯電話などの小物類をカバンに出し入れする際、整然とかつ容易にこれを行おうとするものである。
【課題を解決するための手段】
【０００５】
本考案は、カバンに入る程度の大きさの薄い板に、布などを用い、大小のポケットを取り付けたことを特徴とする。
【考案の効果】
【０００６】
ボールペン、鍵、携帯電話などの小物類を、整然と、しかもかさ張ることなく、かつ容易に出し入れすることが可能となる。
【０００７】
さらに、必要に応じて本考案をカバンから出して整理することも可能である。
【図面の簡単な説明】
【０００８】
【図１】図１は本考案を正面斜め上から見た図である。（実施例１）
【考案を実施するための形態】
【０００９】
カバンに入る程度の薄い板に、布などを用い、大小のポケットを取り付ける。
【実施例１】
【００１０】
図１におけるポケットにおいて小物類を出し入れする。
【実施例２】
【００１１】
図１の本考案を、カバンに入れて使用する。
【産業上の利用可能性】
【００１２】
カバンだけでなく、本考案の大きさを変えることにより、ハンドバッグなど、様々な袋物等に適用できる。
【符号の説明】
【００１３】
１    板
２    布
３    ポケット
【図１】
0003202209.tif 000003
(57)【要約】      （修正有）【課題】包装されたクスリ玉より、クスリ玉のみを正確に押し抜き落下せしめ、尚且つ、クスリ玉の目視が容易なる構造としたクスリ玉抜き具を提供する。【解決手段】日常的に服用する包装された一般形状のクスリ玉を、固定台１に配設したスリット溝付きのストッパー２に挿入せしめ、位置決めを行なったのち、固定台に配設した支持軸を支点とし、手先とバネにて下降する二本のアームの先端に、二股状の滑り止を付した押さえ板４と、二股状の中間を下降する、可動角と逆方向に傾斜せしめた、複数段の押し抜き刃６とにより、クスリ玉のみを押し抜き、固定台に穿った長方楕円形の落下穴７より落下せしめ、固定台を傾けることにより、クスリ玉を一定方向に排出することを特徴とする。【選択図】図１
0003202203.tif 000002
【実用新案登録請求の範囲】
【請求項１】
日常的に服用する包装された一般形状のクスリ玉を、固定台に配設したスリツト溝付きのストツパーに挿入せしめ、位置決めを行なったのち、当該固定台に配設した支持軸を支点とし、手先とバネ
0003202203.tif 000003
押さえ板と、二股状の中間を下降する、可動角と逆方向に傾斜せしめた、複数段の押し抜き刃とにより、クスリ玉のみを押し抜き、当該固定台に穿った長方楕円形の落下穴より落下せしめ、固定台を傾けることにより、クスリ玉を一定方向に排出することを特徴とした、クスリ玉抜き具。
【請求項２】
クスリ玉抜き具において、押し抜き刃を複数段とし、クスリ玉落下穴を長方矩形としたことを特徴とした、クスリ玉抜き具。
【請求項３】
クスリ玉抜き具において、押し抜き刃を単段とし、クスリ玉落下穴を丸形としたことを特徴とした、クスリ玉抜き具。
【請求項４】
クスリ玉抜き具において、押し抜き刃を単段とし、クスリ玉落下穴を角形としたことを特徴とした、クスリ玉抜き具。
【考案の詳細な説明】
【技術分野】
【０００１】本考案は、クスリ玉抜き具に関するものである。
【背景技術】
【０００２】包装された、丸形及び細長いカプセルのクスリ玉を押し抜くに際し、両手を使ってカプセル部を押し、包装基板を押し抜いてクスリ玉を出していたが、破ける方向が様々で、ひっかかったり、破れ出る方向が不規則である不都合があった。
【本考案の概要】
【考案が解決しようとする課題】
【０００３】紙をとじる小型ホチキスがあり、便利さで広く利用されている。
この小型で便利さとを応用したい。
目的と構造は全く異なるが、包装されたクスリ玉より、クスリ玉のみを正確に押し抜き落下せしめ、尚且つ、クスリ玉の目視が容易なる構造とする。
【課題を解決するための手段】
【０００４】クスリ玉の形状は様々ではあるが、日常的に使用されているクスリ玉は、丸形と細長いカプセル状とがある。
尚且つ、包装されたうえ、内側に切り離されたものと、連結されたものがある。
条件としては難かしいが、これらを１台の器具で処理することが可能となった。
先づ、包装されたクスリ玉の位置決めである。
個別に切り離されたものと連結されたものとがあり、夫々の端末長さが異なる。
これらを挿入せしめ位置決めを可能としたのが、スリツト状の溝を有する、クスリ玉ストツパーである。
左右のずれは、二股状の押さえ板の下降中に手により矯正される。
次いで、支点軸に支持され可動する押さえアームの先端部に取付けられた波形の滑り止めを付した、二股形状の押さえ板を下降せしめ、包装基板部を固定台に圧接固定せしめる。
そして最后に、支持軸に支持され可動する押し抜きアームの先端部に、複数段または単段の、包装カプセルに対し可動角と逆方向に傾斜した押し抜き刃が、先述の押さえ板の中間を下降させることにより、クスリ玉の包装基板を押し抜き、クスリ玉のみが、固定台にあけられた、長方楕円形または丸穴より、箱形の固定台に落下される。
固定台は透明プラ製で、落下したクスリ玉を目視できる構造とされ、１個または複数個が溜められたのを傾斜することにより一定方向に排出される。
【考案の効果】
【０００５】包装されたクスリ玉を、溝付きのストツパーに挿入せしめ、下降する二股形状の押さえ板と、押し抜き刃とにより、クスリ玉と包装カプセルとを分離せしめ、箱形固定台に落下させ、固定台を傾斜させることにより、クスリ玉を一定方向に排出することが可能となつた。
【図面の簡単な説明】
【０００６】
【図１】本考案の断面図
【図２】本考案の正面側断面図
【図３】固定台の上面図
【考案を実施するための最良の形態】
【０００７】日常的に服用する、包装されたクスリ玉と、細長いカプセル形のクスリ玉と、個別に切り離されたもの、連結されたもの、包装端末の長さの異なるクスリ玉とを全て受け入れ挿入可能とした、スリツト溝付きのストツパーを設けた。
更に、二股形状の押さえ板と、二股形状の中間を下降する押し抜き刃とにより、クスリ玉のみを分離せしめ、クスリ玉落下穴を有する固定台に落下投入せしめ、傾斜排出することにより、定方向の排出が可能となった。
落下穴は、丸形及び細長いカプセル形とを共用した長方楕円形としたが、長方矩形でも良く、丸形クスリ専用として、丸形または角形としても良い。
【符号の説明】
【０００８】１    固定台
２    クスリ玉ストツパー
３    押さえアーム
４    押さえ板
５    押し抜きアーム
６    押し抜き刃
７    クスリ玉落下穴
８    押さえ用バネ
９    押し抜き用バネ
１０  押し抜き用ピン
１１  支点軸受台
【図１】
0003202203.tif 000004
【図２】
0003202203.tif 000005
【図３】
0003202203.tif 000006
【手続補正書】
【提出日】平成26年5月14日(2014.5.14)
【手続補正１】
【補正対象書類名】実用新案登録請求の範囲
【補正対象項目名】請求項１
【補正方法】変更
【補正の内容】
【請求項１】
日常的に服用する包装された一般形状のクスリ玉を、固定台に配設したスリット溝付きのストッパーに挿入せしめ、位置決めを行なったのち、当該固定台に配設した支持軸を支点とし、手先とバネにて下降する二本のアームの先端に、二股状の滑り止を付した押さえ板と、二股状の中間を下降する、可動角と逆方向に傾斜せしめた、複数段の押し抜き刃とにより、クスリ玉のみを押し抜き、当該固定台に穿った長方楕円形の落下穴より落下せしめ、固定台を傾けることにより、クスリ玉を一定方向に排出することを特徴とした、クスリ玉抜き具。
【手続補正２】
【補正対象書類名】実用新案登録請求の範囲
【補正対象項目名】請求項２
【補正方法】変更
【補正の内容】
【請求項２】
請求項１に記載のクスリ玉抜き具において、押し抜き刃を複数段とし、クスリ玉落下穴を長方矩形としたことを特徴とした、クスリ玉抜き具。
【手続補正３】
【補正対象書類名】実用新案登録請求の範囲
【補正対象項目名】請求項３
【補正方法】変更
【補正の内容】
【請求項３】
請求項１に記載のクスリ玉抜き具において、押し抜き刃を単段とし、クスリ玉落下穴を丸形としたことを特徴とした、クスリ玉抜き具。
【手続補正４】
【補正対象書類名】実用新案登録請求の範囲
【補正対象項目名】請求項４
【補正方法】変更
【補正の内容】
【請求項４】
請求項１に記載のクスリ玉抜き具において、押し抜き刃を単段とし、クスリ玉落下穴を角形としたことを特徴とした、クスリ玉抜き具。